(57)【要約】      （修正有）【課題】強度、安定性、耐久性、安全性、取付と交換の容易性を改善した磨耗アッセンブリを提供する。【解決手段】磨耗アッセンブリ１４は支持部分を有するベース１２と、その中に支持部分が収容されるキャビティを有する磨耗部材１０と、磨耗部材１０をベース１２に着脱可能に固定するためのロック１６と、を含む。支持部分は、磨耗部材１０の相補的な突出部を受け入れる上凹部及び底凹部が形成される。これらの凹部及び突出部は、ロック１６を磨耗アッセンブリ１４内に受け入れかつロック１６を磨耗アッセンブリ１４内に中心的に位置し、磨耗表面から遠隔するように整合穴を含む。磨耗部材１０の穴は、ロック１６と接触し、穴の中での上下移動に対してロック１６を保持するための上支持面及び下支持面が提供された保持構造を含む壁によって画定される。【選択図】図１
2019143468.tif 000002
【特許請求の範囲】
【請求項１】
使用中に磨耗から土作業機械を保護するために土作業機械への取り付けのための磨耗部材であって、
磨耗部材は、
土作業機械の動作中に地面と接触する前端と、
土作業機械にベースを受け入れるために長手方向軸線を有する後方に開口するキャビティと、を備え、
キャビティは、長手方向軸線に沿った中央部分と、中央部分の各面に対する側部分とを含み、各側部分は、外面と内面とを含み、各内面は、中央部分と接触し、各外面は、上外側支持面と下外側支持面とによって画定された内方に突出する側方の突出部を有し、
上外側支持面及び下外側支持面は、内方方向に互いに向かって側方向に傾斜され、長手方向軸線に対して実質的に平行に軸方向に延在し、
各内面は、中央部分の上及び下に内側支持面を有し、
各内側支持面は、外面から離れる方向に内方に側方に傾斜し、長手方向軸線に対して実質的に平行に軸方向に延在し、
上外側支持面及び下外側支持面及び内側支持面は、それぞれ、使用中に磨耗部材にかけられる垂直荷重及び側方荷重に抵抗するためにベースの相補的支持面に対して支持し、
中央部分は、上面及び下面を含み、上面は、上内側支持面の間に延在して上内側支持面と接続し、下面は、下内側支持面の間に延在して上内側支持面と接続し、
上面及び下面は、それらの間に間隙を画定するために離間配置されており、
間隙は、キャビティの全長の三分の二以下である、上面と下面との間の高さを有し、上面及び下面の少なくとも一つは、磨耗部材を土作業機械に固定するためのロックを受け入れるための穴を含む、磨耗部材。
【請求項２】
請求項１記載の磨耗部材において、
キャビティは、後方に向いた前壁を含む前端部分と、上安定化面と、下安定化面とを含み、
上安定化面及び下安定化面は、互いの方に向いており、前壁から長手方向軸線に実質的に平行に後方に軸方向に延在し、
上安定化面及び下安定化面は、使用中、ベース上の相補的面に対して支持する、磨耗部材。
【請求項３】
請求項１記載の磨耗部材において、
使用中、地面と接触するための外側磨耗面と、
磨耗部材が交換を必要とするときに磨耗面に現れる磨耗表示としての、キャビティに開口すると共に磨耗面に向かって磨耗部材を部分的に外方に延在するくぼみと、を含む、磨耗部材。
【請求項４】
使用中に磨耗から土作業機械を保護するために土作業機械への取り付けのための磨耗部材であって、
磨耗部材は、
土作業機械の動作中に地面と接触する磨耗面と、
土作業機械への磨耗部材の取り付けを行うための取り付け構造と、
磨耗部材を延在する壁によって画定されると共に、磨耗部材を土作業機械に保持するためのロックを受け入れるために、磨耗面及び取り付け構造の双方に開口する、穴と、を備え、
壁は、磨耗面と取り付け構造の間の保持構造を含む穴を画定し、
保持構造は、ロックに対する内方の力及び外方の力に抗して穴のロックを積極的に保持するためにロックの対応する支持面と接触するための上肩部及び下肩部を有する、磨耗部材。
【請求項５】
請求項４記載の磨耗部材において、
穴を画定する壁は、保持構造に隣接する通路を画定し、
通路は、統合された構成のロック要素が、穴に取り付けられると共に上肩部及び下肩部と接触するのを許容するために、取り付け構造から磨耗面の方に穴の長さに沿って延在する、磨耗部材。
【請求項６】
請求項４記載の磨耗部材において、
取り付け構造は、土作業機械にベースを収容しかつ捕捉するために形状づけられたキャビティである、磨耗部材。
【請求項７】
請求項４記載の磨耗部材において、
保持構造は、上肩部及び下肩部と接触するために穴の中にロック要素を受け入れるための壁のレリーフによって３つの側面に囲まれた穴を画定する壁の続きである、磨耗部材。
【請求項８】
使用中に磨耗から土作業機械を保護するために土作業機械への取り付けのための磨耗部材であって、
磨耗部材は、
土作業機械の動作中に地面と接触する磨耗面と、
土作業機械への磨耗部材の取り付けを行うための取り付け構造と、
磨耗部材を延在する壁によって画定されると共に、磨耗部材を土作業機械に保持するためのロックを受け入れるために、磨耗面及び取り付け構造の双方に開口する、穴と、を備え、
壁は、磨耗面と取り付け構造の間の保持構造を含む穴を画定し、
保持構造は、ロックに対する内方の力及び外方の力に抗して穴のロックを積極的に保持するためにロックの対応する支持面と接触するための上支持面及び下支持面を有し、
壁は、保持構造に隣接する通路を画定し、
通路は、統合された構成のロック要素が、穴に取り付けられると共に上肩部及び下肩部と接触するのを許容するために、取り付け構造から磨耗面の方に穴の長さに沿って延在する、磨耗部材。
【請求項９】
請求項８記載の磨耗部材において、
取り付け構造は、土作業機械にベースを収容しかつ捕捉するために形状づけられたキャビティである、磨耗部材。
【請求項１０】
請求項８記載の磨耗部材において、
保持構造は、
保持構造の上及び下の壁のリリーフと、保持構造の端部のスロットとによって囲まれた穴を画定する壁の続きであり、
リリーフ及びスロットは、上支持面及び下支持面と接触するために穴の中にロック要素を受け入れるために相互接続される、磨耗部材。
【請求項１１】
使用中に磨耗から土作業機械を保護するために土作業機械への取り付けのための磨耗部材であって、
磨耗部材は、
前端と、
土作業機械の動作中に地面と接触する外部磨耗面と、
土作業機械にベースを受け入れるための後方に開口するキャビティと、を備え、
キャビティは、
磨耗部材が交換を必要とするときに磨耗面に現れる磨耗表示としての、キャビティに開口すると共に、キャビティから外方にかつ磨耗部材を部分的に延在するくぼみを含む、磨耗部材。
【請求項１２】
使用中に磨耗から土作業機械を保護するために土作業機械への取り付けのための磨耗部材であって、
磨耗部材は、
前端と、
土作業動作中の土作業機械の使用中に地面と接触する外部磨耗面と、
土作業機械にベースを受け入れるために後方に開口するキャビティと、
磨耗面からキャビティまで延在する穴と、
穴の中に取り付けられたロックと、を備え、
ロックは、
穴の内方及び外方の双方への取り付け要素の動きに抵抗するために、穴に機械的に固定された取り付け要素と、
磨耗部材がベースに取り付けられると共にベースから取り除かれる解放位置と、磨耗部材がベースに固定されるロック位置との間で取り付け要素に移動可能な保持要素と、を含む、磨耗部材。
【請求項１３】
請求項１２記載の磨耗部材において、
取り付け要素及び保持要素は、解放位置とロック位置との間で保持要素の移動を行うための相補的ねじ山を有する、磨耗部材。
【請求項１４】
請求項１２記載の磨耗部材において、
磨耗部材の穴は、対向して面する上支持面及び下支持面を有する保持構造を含み、
取り付け要素は、保持構造の上支持面及び下支持面と接触するための相補的支持面を含む、磨耗部材。
【請求項１５】
請求項１４記載の磨耗部材において、
取り付け要素は、一部品部材である、磨耗部材。
【請求項１６】
使用中に磨耗から土作業機械を保護するために土作業機械への取り付けのための磨耗部材であって、
磨耗部材は、
土作業機械の動作中に地面と接触する磨耗面と、
土作業機械にベースを受け入れるための取り付け構造と、
磨耗部材を延在する壁によって画定されると共に、磨耗部材を土作業機械に保持するためのロックを受け入れるために磨耗面と取り付け構造の双方に開口する、穴であって、壁は、磨耗面とキャビティとの間の上肩部及び下肩部を有する保持構造を含む、穴と、
保持構造をまたぐと共に、穴の内方及び外方の双方のカラーの動きに抵抗するために上肩部及び下肩部と接触する突出部と、ねじ付き開口部と、を含むカラーと、
磨耗部材がベースに取り付けられると共にベースから取り除かれる解放位置と、磨耗部材がベースに固定されるロック位置との間の移動のためのねじ付き開口部に受け入れられたねじ付きピンと、を備える、磨耗部材。
【請求項１７】
使用中に磨耗から土作業機械を保護するために土作業機械への取り付けのための磨耗アッセンブリであって、
磨耗アッセンブリは、
土作業機械に固定されたベースであって、穴を含むベースと、
磨耗部材と、を備え、
磨耗部材は、
土作業機械の動作中に地面と接触する前端と、
土作業機械にベースを受け入れるために長手方向軸線を有する後方に開口するキャビティと、を備え、
キャビティは、長手方向軸線に沿った中央部分と、中央部分の各面に対する側部分とを含み、各側部分は、外面と内面とを含み、各内面は、中央部分と接触し、各外面は、上外側支持面と下外側支持面とによって画定された内方に突出する側方の突出部を有し、
上外側支持面及び下外側支持面は、内方方向に互いに向かって側方向に傾斜され、長手方向軸線に対して実質的に平行に軸方向に延在し、
各内面は、中央部分の上及び下に内側支持面を有し、
各内側支持面は、外面から離れる方向に内方に側方に傾斜し、長手方向軸線に対して実質的に平行に軸方向に延在し、
上外側支持面及び下外側支持面及び内側支持面は、それぞれ、使用中に磨耗部材にかけられる垂直荷重及び側方荷重に抵抗するためにベースの相補的支持面に対して支持し、
中央部分は、上面及び下面を含み、上面は、上内側支持面の間に延在して上内側支持面と接続し、下面は、下内側支持面の間に延在して上内側支持面と接続し、
上面及び下面は、それらの間に間隙を画定するために離間配置されており、
間隙は、キャビティの全長の三分の二以下である、上面と下面との間の高さを有し、上面及び下面の少なくとも一つは、ベースの穴と整合する穴を含み、
磨耗アッセンブリは、更に、
磨耗部材を土作業機械に解放可能に固定するために磨耗部材の穴及びベースの穴に受け入れられるロックを、備える、磨耗アッセンブリ。
【請求項１８】
請求項１７記載の磨耗アッセンブリにおいて、
ロックは、前端及び後端を含み、
ベースは、磨耗部材のキャビティの中に受け入れられるノーズを含み、
ノーズは、上面及び底面を有し、
ロックが磨耗部材の穴及びベースの穴に挿入されるときに、前端は、上面及び底面の間のベースのほぼ中央点でベースの穴にあり、後端は、磨耗面から離れている、磨耗アッセンブリ。
【請求項１９】
使用中に磨耗から土作業機械を保護するために土作業機械への取り付けのための磨耗アッセンブリであって、
磨耗アッセンブリは、
土作業機械に固定されたベースと、
土作業機械の動作中に地面と接触する磨耗面と、
磨耗部材の土作業機械への取り付けを行うための取り付け構造と、
磨耗部材を延在する壁によって画定されると共に、磨耗面及び取り付け構造の双方に開口する穴と、
穴あの中に受け入れられると共に、磨耗部材を土作業機械に保持するためのベースと接触するために移動可能であるロックと、を備え、
磨耗部材の穴を画定する壁は、磨耗面と取り付け構造との間に保持構造を含み、
保持構造は、ロックに対する内方の力及び外方の力に抗して穴のロックを積極的に保持するためにロックの対応する支持面と接触するための上肩部及び下肩部を有する、磨耗アッセンブリ。
【請求項２０】
使用中に磨耗から土作業機械を保護するために磨耗部材を土作業機械に解放可能に固定するためのロックであって、
ロックは、
磨耗部材の穴に適合するようになった本体と、本体を延在するねじ付き開口部と、保持構造の対向する肩部と係合するために本体の外方に突出する垂直方向に離間した一対の突出部と、を有するカラーであって、本体及び突出部は一部品として形成される、カラーと、
磨耗部材がベースに取り付けられると共にベースから取り除かれる解放位置と、ロックが磨耗部材を土作業機械に保持するロック位置との間の移動のためのねじ付き穴の中に受け入れられるねじ付きピンと、
突出部の上肩部及び下肩部からの取りはずれを防止するために突出部に隣接する本体の外側にある磨耗部材の穴に挿入されるリテイナーと、を備える、ロック。
【請求項２１】
請求項２０記載のロックにおいて、
カラー及びピンの一方の偏向された戻り爪と、
その中に戻り爪を受け入れるカラー及びピンの他方の一対の凹部と、を含み、
戻り爪は、ピンが解放位置にあるときの一方の凹部に収容されると共に、ピンがロック位置にあるときの他の凹部に収容される、ロック。
【請求項２２】
使用中に磨耗から土作業機械を保護するために磨耗部材を土作業機械に解放可能に固定するためのロックであって、
ロックは、
ねじ付き軸及びヘッドを有するピンを備え、
ヘッドは、ソケットを含み、
ソケットは、ツールを受け入れるための角度が付いた面と、土粉のソケットのよりよいクリーニングを可能にするために少なくとも一つの面の代わりの拡大されたクリアランススペースと、を有する、ロック。
【発明の詳細な説明】
【技術分野】
【０００１】
本発明は、様々な種類の土作業機械で使用するための磨耗アッセンブリに関する。
【背景技術】
【０００２】
採鉱及び建設では、磨耗部品は、一般的に、ドラグライン機、ケーブルショベル、フェースショベル、油圧ショベルなどのためのバケット等の掘削装置の掘削縁に沿って提供される。磨耗部品は、過度の磨耗から下にある装置を保護し、いくつかのケースでは、掘削縁の前にある地面を粉砕するなどの他の機能を実行する。使用中、磨耗部品は、一般的に、重負荷や高い研磨状況に出くわす。その結果として、磨耗部品は、定期的に交換される必要がある。
【発明の概要】
【発明が解決しようとする課題】
【０００３】
これらの磨耗部品は、通常、掘削縁部に固定されたベースや、地面と係合するためにベースに取り付ける磨耗部品などの二つ以上の構成要素を備える。磨耗部品は、より迅速に磨耗する傾向があり、そして、一般的にはベースが交換される前に何回も交換される傾向がある。そのような磨耗部品の一例は、掘削機用のバケットのリップに取り付けられる掘削歯である。歯は、通常、バケットのリップに固定されたアダプタと、地面との接触を開始するためにアダプタに取り付けられたポイントと、を含む。ピンあるいは他の種類のロックが、ポイントをアダプタに固定するために使用される。強度、安定性、耐久性、安全性、及び、取り付けと交換の容易性の改善が、このような磨耗アッセンブリにおいて望まれている。
【課題を解決するための手段】
【０００４】
本発明は、例えば、掘削機や地上搬送手段を含む様々な種類の土作業機械での使用のための磨耗アッセンブリに関する。
【０００５】
本発明の一態様では、磨耗アッセンブリは、支持部分を有するベースと、その中に支持部分が収容されるキャビティを有する磨耗部材と、磨耗部材をベースに着脱可能に固定するためのロックと、を含む。支持部分は、磨耗部材の相補的な突出部を受け入れる上凹部及び底凹部が形成される。これらの凹部及び突出部は、ロックを磨耗アッセンブリ内に受け入れかつロックを磨耗アッセンブリ内に中心的に位置し、磨耗表面から遠隔するように整合穴を含む。この配置は、ロックが地面と磨耗接触するのを遮断し、ロックの放出又は損失のリスクを軽減する。
【０００６】
本発明の他の態様では、磨耗アッセンブリは、支持部分を有するベースと、支持部分を収容するためのキャビティを有する磨耗部材と、を含む。支持部分と磨耗部材との嵌合は、改善された貫入で磨耗部材の非常に安定した取り付けを形成する独特な構成の上壁、底壁及び側壁の各々に沿った安定化表面を含む。
【０００７】
本発明の別の態様では、磨耗部材は、ノーズ収容キャビティに開口し、初期的に閉じられ、外部の磨耗面から離間された、磨耗表示くぼみを含み、磨耗表示くぼみは、磨耗のために磨耗部材を交換する時期であるときに磨耗表面から現れる。
【０００８】
本発明の別の態様では、磨耗部材は、磨耗部材をベースに固定するためにロックを受け入れるための穴を含む。穴は、ロックと接触し、穴の中での上下移動に対してロックを保持するための上支持面及び下支持面が提供された保持構造を含む壁によって画定される。一好適な構造では、通路は、ロック又はロック要素が一体ユニットとして穴の中に適合することができると共に保持構造の上支持面及び下支持面と接するように配置されることができるように、穴に提供される。
【０００９】
本発明の別の態様では、ロックは、磨耗部材の穴に取り付けるための固定構造が提供された取り付け要素を含む。固定構造は、穴内で保持構造と協働し、使用中において穴の内外への取り付け要素の移動を抵抗する。取り付け要素は、磨耗部材をベースに着脱可能に保持するために使用されるねじ付きピンを受け入れるためのねじ付き開口を画定する。
【００１０】
別個の取り付け要素は、磨耗部材に直接的にねじ山を形成するよりも少ない費用及び高品質で、容易に製造されることができ磨耗部材内に容易に固定されることができる。取り付け要素は、磨耗部材の穴内に機械的に保持されることができ、ロックの意図しない損失を回避するように両方向における軸方向の動きに抵抗する。
【００１１】
本発明の別の態様では、ロックは、軸方向の動きに抵抗するために磨耗部材の穴の中に収容されかつ磨耗部材の穴の中に機械的に固定された取り付け要素と、磨耗部材をベースに着脱可能に固定するために取り付け要素に移動可能に使用されるロック要素と、磨耗部材からの取り付け要素の開放を防止するためのリテイナーと、を含む。
【００１２】
本発明の別の態様では、ロックは、焼入鋼の磨耗部材に機械的に固定されるねじ付き要素を含む。ロック要素は、磨耗部材に対して二つの位置との間、すなわち、磨耗部材がベースに取り付けられる又はベースから取り除かれることができる第１の位置と、磨耗部材がロックによってベースに固定される第２の位置との間で調整されることができる。ロックは、磨耗部材と、すなわち“取り付け準備ができた”位置にあるロックで、一体ユニットとして出荷され、保管され、取り付けられるように、製造時に機械的手段によって磨耗部材に固定可能であるのが好ましい。ひとたび磨耗部材がベースに配置されると、ロックは、第２の位置に移動され、土作業で使用するために適所に磨耗部材を保持する。
【００１３】
本発明の別の態様では、磨耗部材を土作業機械に着脱可能に固定するためのロックは、ピンを回転するためにツールを受け入れるための一端にあるソケットを有するねじ付きピンを含む。ソケットは、ツールを受け入れるためのファセットと、土をよりよく避けると共にソケットから土をよりよく追い出すためのファセットの一つの代わりの間隙空間と、を含む。
【図面の簡単な説明】
【００１４】
【図１】本発明にかかる磨耗アッセンブリの斜視図である。
【図２】磨耗アッセンブリの側面図である。
【図３】磨耗アッセンブリのベースの斜視図である。
【図４】ベースの正面図である。
【図５】ベースの上面図である。
【図６】ベースの側面図である。
【図７】図５の線７−７に沿って切り取られた断面図である。
【図８】磨耗アッセンブリの磨耗部材の上面図である。
【図９】図８の線９−９に沿って切り取られた断面図である。
【図１０】図８の線１０−１０に沿って切り取られた断面図である。
【図１０Ａ】図８の線１０Ａ−１０Ａに沿って切り取られた断面図である。
【図１１】磨耗部材の背面図である。
【図１２】図１１の線１２−１２に沿って切り取られた断面図である。
【図１３】図１１の線１３−１３に沿って切り取られた断面図である。
【図１４】磨耗アッセンブリの分解斜視図である。
【図１５】ベースの部分側面図である。
【図１６】図１５の線１６−１６に沿って切り取られた断面図である。
【図１７】図１５の線１７−１７に沿って切り取られた断面図である。
【図１８】図１５の線１８−１８に沿って切り取られた断面図である。
【図１９】図１５の線１９−１９に沿って切り取られた断面図である。
【図２０】図１５の線２０−２０に沿って切り取られた断面図である。
【図２１】磨耗アッセンブリの部分側面図である。
【図２２】図２１の線２２−２２に沿って切り取られた断面図である。
【図２３】図２１の線２３−２３に沿って切り取られた断面図である。
【図２４】図２１の線２４−２４に沿って切り取られた断面図である。
【図２５】図２１の線２５−２５に沿って切り取られた断面図である。
【図２６】図２１の線２６−２６に沿って切り取られた断面図である。
【図２７】磨耗アッセンブリのロックの斜視図である。
【図２８】磨耗アッセンブリのロックの分解斜視図である。
【図２９】ロックが解放位置にある図２の線２９−２９に沿って切り取られた断面図である。
【図３０】ロックがロック位置にある図２の線２９−２９に沿って切り取られた断面図である。
【図３１】磨耗部材の部分斜視図である。
【図３２】ロックの取り付け要素が部分的に取り付けられた状態の磨耗部材の部分斜視図である。
【図３３】取り付け要素が磨耗部材に取り付けられた状態の磨耗部材の部分斜視図である。
【図３４】ロックの一体取付要素とリテイナーとピントとが取り付けの準備ができた状態の磨耗部材の部分斜視図である。
【図３５】図３４の線３５−３５に沿って切り取られた断面図である。
【図３６】ロックのリテイナーの側面図である。
【図３７】ピンの上面図である。
【図３８】ツールがソケットの中に示されたピンの上面図である。
【図３９】ツールがソケットの中に示されたピンの上面図である。
【図４０】ピンの部分斜視図である。
【図４１】ロックの正面図である。
【図４２】ロックの側面図である。
【図４３】ロックの底面図である。
【図４４】ロックの取り付け要素の側面図である。
【発明を実施するための形態】
【００１５】
本発明は、例えば、掘削装置や地上運搬装置を含む様々な種類の土作業機械の磨耗アッセンブリに関する。掘削装置は、例えば、ドラグライン機、ケーブルショベル、フェースショベル、油圧ショベル及び浚渫カッターを含む、例えば、採鉱、建設及び他の活動で使用されるあらゆる様々な掘削装置を意味するための一般的な用語として意図される。また、掘削装置は、バケットあるいはカッターヘッドなどのこれらの機械の地面係合コンポーネントを意味する。掘削縁は、地面との接触をもたらす装置の部分である。掘削縁の一例は、バケットのリップである。また、地面運搬装置は、例えば、シュート及び掘削トラックベッドを含む、土を運搬するのに使用される様々な装置を意味する一般的な用語として意図される。本発明は、例えば、掘削歯及びシュラウドの形態の掘削装置の掘削縁に沿って使用するために適している。さらに、本発明の特定の態様は、例えば、ランナーの形態の磨耗表面の拡大に沿って使用するために適している。
【００１６】
前、後、上、底などの相対的な用語は、説明の便宜のために使用される。前又は前方の用語は、概ね、使用中（例えば、掘削の間）の通常の走行方向を示すために使用され、上又は上部は、概ね、例えば、バケットの中に集められたときに、土が通過する表面への参照として使用される。それにもかかわらず、種々の土作業機械の動作において、磨耗アッセンブリは、様々な方向に配向され、使用中において全ての種類の方向に動くことが認められる。
【００１７】
一例では、本発明に係る磨耗アッセンブリ１４は、バケットのリップ１５に取り付けられる掘削歯である（図１、２及び１４）。図示の歯１４は、リップ１５に溶接されたアダプタ１９と、アダプタ１９上に取り付けられた中間アダプタ１２と、ベース１２上に取り付けられたポイント（チップとも呼ばれる）１０とを含む。一つの歯の構造が示されているが、本発明の態様のいくつか又は全てを使用して他の歯の構成も可能である。例えば、この実施形態のアダプタ１９は、リップ１５に溶接されるが、（例えば、ホイスラー形式のロックアッセンブリによって）機械的に取り付けられることができる。さらに、ベースは、別個に取り付けられた要素よりはむしろ掘削装置の一体部分にすることができる。例えば、アダプタ１９は、鋳造リップの一体ノーズに置き換えられることができる。この出願では、説明の目的のために、中間アダプタ１２は、ベースとして参照され、ポイント１０は、磨耗部材として参照されているが、中間アダプタ１２は、磨耗部材と考えられ、アダプタ１９は、ベースと考えられることができる。
【００１８】
アダプタ１９は、リップ１５をまたぐ一対の脚部２１、２３と、前方に突出するノーズ１８とを含む。中間アダプタ１２は、アダプタ１９の前端部でノーズ１８を受け入れるために後方に開口するキャビティ１７を含む（図１、２、５及び１４）。キャビティ１７及びノーズ１８は、参照によって本明細書に組み込まれた米国特許第７８８２６４９号に開示されているように構成されているのが好ましいが、他のノーズ及びキャビティの構成が使用されることができる。アダプタ１２は、ポイント１０を取り付けるための前方に突出するノーズ４８を含む。ポイント１０は、ノーズ４８を受け入れるための後方に開口するキャビティ２６と、地面に入り込むための前端２４とを含む。ロック１６は、磨耗部材１０をベース１２に固定するため及びベース１２をノーズ１８に固定するために使用される（図１、２、１４）。この例では、磨耗部材１０をベース１２にベース１２をノーズ１８に両方とも固定するためのロックは、同じである。それにもかかわらず、ロックは、異なって寸法づけられ、異なる構成を有し、あるいは、完全に異なるロックにすることができる。中間アダプタの使用に関し、歯は、大規模な機械で使用するために非常に適しているが、小規模な機械で使用されることができる。別な方法として、磨耗部材としてのポイントは、ベースとしてのアダプタ１９上に直接的に取り付けられる。
【００１９】
磨耗部材１０は、この実施形態では、概ね、装置の動作中に地面に係合して貫通するための狭い先端２４に収束する上壁２０及び底壁２０を有する楔形状の構成を有する（図１、２及び８−１４）。キャビティ２６は、ベース１２を収容するために磨耗部材１０の後端２８において開口する。キャビティ２６は、前端部分３０及び後端部分３２を含むのが好ましい。磨耗部材１０の前部分又は作業部分２７は、キャビティ２６の部分である。磨耗部材１０の後部分又は取り付け部分２９は、キャビティ２６を含む部分である。
【００２０】
キャビティ２６の前端部分３０（図１０−１３）は、上安定化面３４及び下安定化面３６を含む。安定化面３４、３６は、垂直荷重（すなわち、垂直成分を含む荷重）の下での完全された安定性のために、キャビティ２６の長手方向軸線４２に実質的に平行に軸方向に延在する。本出願での用語“実質的に平行”は、実際に平行である又は小さな発散角度（すなわち、約７度以下）を意味する。従って、安定化面３４、３６は、長手方向軸線４２に対して約７度以下の角度で軸方向に延在する。好ましくは、安定化面は、約５度以下の角度、最も好ましくは２−３度の角度で長手方向軸線から後方に軸方向に発散する。
【００２１】
安定化面３４、３６は、対向し、そして、ベース１２のノーズ４８上の相補的安定化面４４、４６に対抗する（図２４）。また、安定化面４４、４６は、コンポーネントが互いに組み立てられると、長手方向軸線４２に実質的に平行である（図３−７、１４−１６及び２４）。ノーズ４８の安定化面４４、４６に対するキャビティ２６の安定化面３４、３６の支持は、垂直荷重下での磨耗部材１０の安定した取り付けを提供する。磨耗部材１０の前端２４に加えられる垂直荷重は、磨耗部材を付勢して、（ノーズ及びロックによって制限されていない場合に）前方へ回転させてノーズから外させる。安定化面（すなわち、長手方向軸線４２に実質的に平行である表面）は、より大きな軸方向の傾きを有する表面よりもより効果的にこの付勢に抵抗し、ノーズ４８への磨耗部材１０のより安定した取り付けを提供する。より安定した取り付けは、小さなロックの使用を可能にし、部品間の少ない内部磨耗を結果として生じる。
【００２２】
キャビティ２６の前端部分３０は、側方荷重に耐えるためにノーズ４８上の相補的側方支持面４５、４７と接触するための側方支持面３９、４１をさらに含む。キャビティ２６の側方支持面３９、４１及びノーズ４８上の側方支持面４５、４７は、磨耗部材１０の取り付けにおいてより大きな安定性のために長手軸線４２に実質的に平行に軸方向に延在するのが好ましい。これらの前側方支持面３９、４１、４５、４７は、（以下に説明されるように）側方荷重に耐える後支持面と協働する。好適実施形態では、キャビティ２６の前支持面３４、３６、３９、４１は、各々、シフト荷重及び全方向からの荷重に対してより良く抵抗するために、わずかに横方向の凹面の曲率で形成される。ノーズ４８上の前支持面４４−４７は、相補的な凸面形状を有する。しかしながら、キャビティ２６及びノーズ４８の前支持面は、平坦又は様々な曲率で形成されることができる。
【００２３】
ベース１２のノーズ４８は、前端５２の安定化面４４、４６の後方に後部分又は主要部分５０を含み（図３−７及び１４−２０）、ノーズ４８は、アダプタ１２の部分が磨耗部材１０のキャビティ２６の中に受け入れられることを考慮される。主要部分５０は、概ね、狭い中央部分５４及び広い又は厚い側部分５６を有する横断面が“ドッグボーン（dog bone）”構成（図１８−２０）を有する。そのような構成は、機能においてＩ型ビーム構造に似ており、減少された質量及び重さで強度の魅力的なバランスを提供する。好適実施形態では、側部分５６は、互いに鏡像である。側部分５６は、設計における強度の増大及びストレスの低減のために、前方から後方に徐々に厚さが増加する。狭い中央部分５４及び拡大された側部分５６を有するノーズ４８の使用は、（ｉ）動作中において出くわすかもしれない重い荷重に耐えるのに十分な強度を有するノーズ４８と、（ｉｉ）使用中において地面と磨耗的な接触からロックを保護するため及びロックの取りはずれのリスクを低減するためにロック１６を磨耗部材１４の中央位置に配置すること、の二重の利益を提供する。中央部分５４は、好ましくは、同じ横方向の平面に沿ったノーズ４８の全体の厚さ（すなわち、高さ）のおよそ中央の三分の二以下を表す。最も好適な実施形態では、中央部分５４の厚さは、同じ横方向平面に沿ったノーズ４８の最大又は厚さ全体のおよそ６０％以下である。中央部分５４は、上面５８及び底面６０によって画定される。上面５８及び底面６０は、長手軸線４２に実質的に平行に軸方向に延在するのが好ましいが、より大きな傾斜を有することができる。上面５８は、各側面において、側部分５６の内面６２に調和する。内面６２は、上面５８から上方かつ外側に横方向に傾斜され、側部分５６の上部分を部分的に画定する。同様に、内面６４は、低面６０から下方かつ外側に横方向に傾斜され、側部分５６の下部分を部分的に画定する。内面６２は、各々、約１３０−１４０度の角度αで上面５８に対して横方向に傾斜され、磨耗部材１０上の垂直荷重及び側方荷重の両方に耐えると共に、荷重時における応力集中を低減する（図２０）。しかしながら、内面は、所望であればこの範囲外の角度（例えば、約１０５−１６５度）にすることができる。内面６４は、好ましくは、内面６２の鏡像であるが、所望であれば異なっていてもよい。傾斜の好適な範囲は、内面６２、６４の両方の傾斜に対して同じである。各内面６２、６４に対する最も好適な傾斜は、１３５度の角度αである。いくつかの構成では、垂直荷重により大きな耐性を提供するために隣接する上面又は底面に対して１３５度以上の角度αで傾斜された各内面６２、６４を有するのが好ましい。内面６２、６４は、垂直荷重によりよく抵抗するため及びベース１２への磨耗部材１０の安定な取り付けを提供するために、各々が長手軸線４２に対して実質的に平行に軸方向に延在する安定化面であるのが好ましい。
【００２４】
中央穴６６は、中央部分５４に形成され、上面５８及び底面６０において開口するが（図３、５、７、１９、２５及び２９）、所望であれば、上面５８だけに開口することができる。底面６０を通る穴６６の下方への拡張は、穴への土細粒の蓄積を減少し、穴の土細粒を容易にきれいに清掃することを可能とする。磨耗部材１０の上壁２０は、磨耗部材１０がノーズ４８上に取り付けられたときに穴６６と整合する貫通穴６７を含む（図１、９、１０Ａ、１３、１４、２５及び２９）。ロック１６は、穴６６、６７の中に受け入れられて、磨耗部材１０をベース１２に固定する（図２５、２９及び３０）。好適なロック１６の詳細が以下に提供される。しかしながら、他のロックが磨耗部材１０をベース１２に固定するのに使用されることができる。例として、代替的なロックは、各々が参照によって本明細書に組み込まれた米国特許第７５７８０８１号又は米国特許第５０６８９８６号に記載された形態にすることができる。代替的なロックを使用する場合において磨耗部材及びベースの整合された穴の形状は、勿論、異なるロックを収容するために本明細書中に図示されたものとは異なる。
【００２５】
磨耗部材１０の穴６７は、好ましくはロック１６を取り囲む壁６８によって画定される（図３１）。壁６８は、上支持面７１及び下支持面７３を画定するために壁の部分に沿って横方向に延在する保持構造６９を含む。支持面７１、７３は、各々、ロック１６によって接触され、ロックを穴の中に保持する共に、より良くロックの放出又は損失に抵抗するように磨耗部材の出荷、保管、設置及び使用中においてロックにかけられる内向き及び外向きの垂直方向の力に抵抗する。好適実施形態では、保持構造６９は、壁６８から穴６６の中に延在する半径方向の突起として形成され、支持面７１、７３は、上肩部及び下肩部として形成される。代替的に、保持構造６９は、互いに対向する上支持面及び下支持面を有する外周壁６８の凹部（図示せず）として形成されることができる。通路７５が、穴６７の壁６８に沿って垂直方向に提供され、ロック１６の挿入及び保持構造６９の係合、すなわち、上支持面７１及び下支持面７３の双方とロック１６が軸受接触する状態を可能にする。図示の実施形態では、穴は、磨耗部材１０の底壁２２に形成されていないが、穴は、ポイント１０のリバーシブルな取り付けを可能にするために形成されることができる。また、所望であれば、ベース１２とノーズ１８との間の嵌合がそれを許容する場合には、ベース１２は、ノーズ１８にリバーシブルに取り付けられることができる。図示の実施形態では、ベース１２は、ノーズ１８にリバーシブルに取り付けられることができない。
【００２６】
好適実施形態では、保持構造６９は、基本的に、保持構造６９の上又は外側の第１レリーフ７７と、保持構造６９の下またか内側にある第２レリーフ７９と、保持構造６９の遠位端８１にある通路７５とによって画定された壁６８の連続部分である。レリーフ７７、７９及び通路７５は、保持構造６９の周りの周辺壁６８の連続した凹部を画定する。レリーフ７７、７９の端壁８７、８９は、ロック１６の位置決めのためのストップを画定する。凹部８５は、好ましくは、キャビティ２６の内面９１に沿って提供されて、後述するようにロック１６の取り付け要素の挿入中にストップとして機能する。
【００２７】
磨耗部材１０のキャビティ２６は、ノーズ４８を補完する形状を有する（図９、１０、１０Ａ、２４−２６及び２９）。従って、キャビティの後端３２は、上凹部７０及び下凹部７２の中に収容される上突出部７４及び下突出部７６を含む。上突出部７４は、ノーズ４８の内面６２に対向する内面７８と、ノーズ４８の内面６２に対向すると共に内面６２に対して抗する側面８０とを含む。好ましくは、側面８０と内面６２との間の接触を確実にするために内面７８と上面５８との間に隙間があるが、所望であれば、内面７８と上面５８は、接触させることができる。側面８０は、内面６２の横方向の傾斜と合致するように横方向に傾斜される。側面８０は、内面６２の軸方向の延在部と合致するように長手方向軸線４２に実質的に平行に軸方向に延びる。
【００２８】
下突出部７６は、好ましくは、上突出部７４の鏡像であり、底面６０に対向する内面８２と、内面６４に対向すると共に内面６４に対して抗する側面８４とを含む。キャビティ２６では、内面７８は、ノーズ４８の中央部分５４の厚さよりもわずかに大きい二つの内面７８、８２間の隙間８６を有して内面８２と面する。隙間８６の厚さ（又は高さ）は、好ましくは、同じ横方向平面に沿ったキャビティ（すなわち最大の高さ）２６の全体の厚さ（又は高さ）の中央の三分の二内にあり、同じ横方向の平面に沿ったキャビティの全体の厚さの中央の６０％以下であるのが最も好ましい。側面８０、８４は、内面７８、８２からそれぞれ離れる方向に横方向に傾斜され、ポイントのための上の後安定化面及び下の後安定化面を画定するために長手方向軸線４２に対して実質的に平行に延在する。前安定化面３４、３６は、後安定化面８０、８４と協働して、ノーズ４８に対して磨耗部材１０を安定的に支持する。例えば、磨耗部材１０の前端２４の下向きの垂直荷重Ｌ１（図２）は、ノーズ４８の前安定化面４４に支持するキャビティ２６の前安定化面３４と、ノーズ４８の後安定化面６４に支持するキャビティ２６の後安定化面８４とによって主に抵抗される（図２４−２６及び２９）。これらの安定化面３４、４４，６４、８６の軸方向の延在部（すなわち、それらは、長手方向軸線４２に対して実質的に軸方向に平行である）は、荷重Ｌ１が磨耗部材１０に対して付勢するロールの前方下向きの傾向を最小限に抑える。同様に、前端２４の反対の上向き荷重Ｌ２（図２）は、ノーズ４８の前安定化面４６に支持するキャビティ２６の前安定化面３６と、ノーズ４８の後安定化面６２に支持するキャビティ２６の後安定化面８０とによって主に抵抗される（図２４−２６及び２９）。上述と同様に、安定化面３６、４６、６２、８４は、ベース１２に対して磨耗部材１０を安定的に支持する。
【００２９】
側面８０と内面６２との間の軸受接触及び側面８４と内面６４との間の軸受接触は、垂直荷重と横方向の成分を有する荷重（側方荷重と呼ばれる）の双方に抵抗する。磨耗部材が地面を通じて強制されるようなシフト方向において荷重が磨耗部材に共通的にかけられるので、垂直荷重及び側方荷重の双方に同じ面が抵抗することは有利である。横方向に傾斜した安定化面に関し、同じ面間の支持は、荷重が例えば多くの垂直荷重から多くの側方荷重にシフトする場合でも生じ続ける。この構成に関し、ノーズ上のポイントの動きが減少し、それは、コンポーネントの磨耗低減につながる。
【００３０】
中空部分８８、９０は、ノーズ４８の側部分５６を受け入れるためのキャビティ２６の上突出部７４及び下突出部７６の各々の両側に提供される（図９、１０、１２、１３、２５、２６及び２９）。中空部分８８、９０は、側部分５６を補完して収容する。上中空部分８８は、突出部７４の側面８０と外面９２とによって画定される。下中空部分９０は、突出部７６の側面８４と外面９４とによって画定される。外面９２、９４は、概ね、湾曲した及び／又は角度が付いた形状であり、側部分５６の上面、底面及び外面を補完する。
【００３１】
好適な構成では、ノーズ４８の各側壁１００は、チャンネル１０２が提供される（図１８−２０）。各チャンネルは、チャンネルに概ねＶ字形状を与える傾斜したチャンネル壁１０４、１０６によって画定されるのが好ましい。チャンネル１０２は、各々、鋭い内側隅部を回避するために底壁１０７を有するのが好ましいが、所望であれば、底壁なしに（すなわち、合せられた接合壁１０４、１０６で）形成されることができる。チャンネル壁１０４、１０６は、各々、垂直荷重及び側方荷重の両方に耐えるために傾斜されるのが好ましい。好適な構成では、チャンネル壁１０４、１０６は、約８０−１００度（好ましくは、中央の水平面の各側に対して約４５度）の開先角度βを画定するために広がるが、角度は、この範囲外にすることができる。チャンネル壁１０４、１０６は、各々、長手方向の軸線４２に対して平行に軸方向に延在するのが好ましい。
【００３２】
キャビティ２６の対向面９８は、チャンネル１０２を補完すると共にチャンネル１０２の中に受け入れられる突出部１０８を画定する。突出部１０８は、垂直荷重及び側方荷重に抵抗するためにチャンネル壁１０４、１０６に対向しかつチャンネル壁１０４、１０６に抗して耐える支持壁１１０、１１２を含む。突出部１０８は、好ましくは、側壁９８の長さを延在するが、短くすることができ、チャンネル１０２の一部分のみに収容されることができる。支持壁１１０、１１２は、チャンネル壁１０４、１０６の横方向の傾きに合致し、長手方向軸線４２に対して実質的に平行に軸方向に延在するのが好ましい。
【００３３】
磨耗部材１０及びベース１２の対向部分は、使用中において互いに係合するが、表面３４、３６、４４、４６、６２、６４、８０、８４。１０４、１０６、１１０、１１２の係合は、垂直荷重及び側方荷重の両方に抵抗するために主要な支持面であることが意図される。ノーズ４８の前面１１６に対するキャビティ２６の前壁１１４の接触は、二つの軸方向の荷重（すなわち、長手方向軸線４２に平行である二つの成分を有する二つの荷重）に抵抗する主要な支持面であることを意図する。
【００３４】
磨耗部材１０は、好ましくは、後端２８にある、上壁２０の横方向に離間された凹部１２３、１２５と、下壁２２の対応する横方向に離間された凹部１２７、１２９とを含む（図１、２、１０、１４及び２６）。ノーズ４８は、好ましくは、磨耗部材１０の後端２８がノーズ４８の後端１３８と結合するように（図１、２及び２６）、磨耗部材１０の凹部１２３、１２５、１２７、１２９から横方向にオフセットされる協働凹部１３０、１３２、１３４、１３６（図１−３、５、６及び２６）を含む。磨耗部材がノーズ４８に完全に固定されるときに、磨耗部材１０の側部分１２４は、ベース１２の側方凹部１３０、１３６に受け入れられ、磨耗部材１０の上部分１２６は、ベース１２の上凹部１３２に受け入れられ、磨耗部材１０の底部分１２８は、ベース１２の底凹部１３４に受け入れられる。同様に、下ベース部分１４０及び上ベース部分１４２は、磨耗部材１０の協働凹部１２３、１２５、１２７、１２９に受け入れられる。この磨耗部材１０とベース１２との互いにかみ合う係合は、使用中に荷重に抵抗する。それにもかかわらず、他の構成が使用され、あるいは、インターロック構成は、省略される、すなわち、凹部１２３、１２５、１２７、１２９を使用しないで連続した構成を有する後端２８にすることができる。
【００３５】
磨耗部材１０は、好ましくは、キャビティ２６に開口する磨耗表示くぼみ１７０を含む（図２６）。図示の例では、磨耗表示くぼみ１７０は、後端２８に近接して底壁２２に形成されたスロットであるが、他の位置が使用されることができる。くぼみ１７０は、磨耗部材１０が新品である時に磨耗面１３から離間された深さを画定するために底面１７２を有する。くぼみ１７２が使用中に磨耗面１３から現れるときに、オペレータに視覚的な表示を提供し、それは、磨耗部材を交換する時期である。
【００３６】
ロック１６は、好ましくは、磨耗部材１０をベース１２に固定すると共にベース１２をノーズ１８に固定するために使用される（図１、２及び１４）。好適な構成では、上壁２０のロック１６は、磨耗部材１０をベース１２に保持するために提供され、ベース１２の各側壁１５１のロック１６は、ベース１２をアダプタ１９に保持するために提供される、代替的に、二つのロックが、磨耗部材１０をベース１２に固定するために使用され、一つのロックが、ベース１２をアダプタ１９に保持するために使用されることができる。穴１４６は、それぞれのロック１６を受け入れるためにベース１２の各側面１５１に提供される。各穴１４６は、穴６７に対して上述したのと同じ構成を有する。さらに、穴６６と同様の穴１６１は、ノーズ１８の両面１６３に提供される。二つの穴１６１は、好ましくは閉鎖されているが、ノーズ１８を通じて相互につながることができる。しかしながら、ロックは、様々な構成を有することができる。ベース１２をノーズ１８に固定するロックは、例えば、米国特許第５７０９０４３号に開示されたような構成にすることができる。
【００３７】
ロック１６は、取り付け要素又はカラー２２２と、保持要素又はピン２２０を含む（図２７−４４）。カラー２２２は、磨耗部材１０の穴６７に適合し、整合ねじ２５４を有するピン２２０を受け入れるためのねじ２５８を有する穴又は開口２２３を含む。好ましくは保持クリップの形態であるリテイナー２２４は、カラー２２２と共に穴６７に挿入され、磨耗部材１０からカラー２２２が外れるのを防止する。好ましくは、リテイナー２２４は、磨耗部材の出荷、保管、設置及び／又は使用のために、ロック１６が磨耗部材１０と一体に結合するように（すなわち、ロックを一体的に含む磨耗部材を画定するように）磨耗部材１０の製造中に挿入される。そのような構成は、在庫及び保管の必要性を低減し、取り付け中（夜間では特に問題になることがある）のロックの落下を排除し、適切なロックが常に使用されるのを確実にし、磨耗部材の取り付けを容易にする。それにもかかわらず、所望であれば、リテイナー２２４は、ロック１６の除去を行うために、いつでも取り除かれることができる。
【００３８】
カラー２２２は、突出部２３６、２３７を有する円筒本体２２５を有し、突出部２３６、２３７は、ロック１６を磨耗部材１０の適所に保持するために保持構造６９の支持面又は肩部７１、７３と接触して保持構造６９の支持面又は肩部７１、７３を支持するために外方に突出する。カラー２２２を取り付けるために、本体２２５は、突出部２３６、２３７が通路又はスロット７５に沿って摺動されるようにキャビティ２６内から穴６７の中に挿入され、次に、突出部２３６、２３７が保持構造６９をまたぐように回転される（図３２及び３３）。カラー２２２は、フランジ２４１が凹部８５の中に受け入れられて凹部８５の壁に対して当接する（図３２）まで穴６７の中に移動されるのが好ましい。次に、カラー２２２は、突出部２３６、２３７がストップ８７と当接するまで回転される（図３３）。カラー２２２の回転は、好ましくは、突出部２３６、２３７が上レリーフ７７、７９の中に移動してストップ８７、８９と当接するように約３０度である。他のストップの構成が可能であり、例えば、カラーは、端部壁８１に当接する形成部を有する又はストップと係合する一つだけの突出部を有することができる。この位置において、突出２３６は、上支持面又は肩部７１に対して配置され、突出２３７は、下支持面又は肩部７３に対して配置される。保持構造６９の両面に対する突出部２３６、２３７の係合は、掘削中の荷重下でさえカラー２２２を穴６７に保持する。さらに、外側突出部２３６及びフランジ２４１の協働は、使用中におけるピン２２０にかけられる片持ち荷重に抗する抵抗対を提供する。
【００３９】
ひとたびカラー２２２が配置されると、リテイナー又はクリップ２２４は、磨耗部材１０の外側から通路７５の中に挿入される（図３４）。好ましくは、リテイナー２２４は、スロット７５の中にスナップ嵌めされ、それによって、突出部２３６、２３７がレリーフ７７、７９に保持されかつ肩部７１、７３に抗して保持されるようにカラー２２２の回転を防止する。リテイナー２２４は、好ましくは、剛板で形成され、リテイナー２２４を磨耗部材１０に保持するためにカラー２２２の外面２４６の収容ノッチ２４４の中にパチンと嵌る曲げタブ２４２を有する（図３５及び３６）。リテイナーは、カラー２２２が、安全な保管、輸送、設置及び／又は使用のために磨耗部材２０にロックされるのを可能にし、それによって、磨耗部材１０の一体部品を画定する。さらに、リテイナー２２４は、好ましくは、穴６７へのカラー２２２の適合を締結するために、カラー２２を付勢するためのカラー２２２に対するスプリング力を発揮する。フランジ２６７が、突出部２３６と当接すると共にリテイナーの過度の挿入を防止するために提供されるのが好ましい。
【００４０】
肩部７１、７３に対する突出部２３６、２３７の係合は、穴６７の中にカラー２２２を機械的に保持すると共に、磨耗部材１０の出荷中、保管中、取り付け中及び／又は使用中における内方及び外方への動きを効果的に防止する。土作業機械のための磨耗部材を製造されるのに一般的に使用される硬質の低合金鋼は一般的に十分な溶接性を欠いているため、機械的な取り付けが好ましい。カラー２２２は、単一ユニット（一部品又はユニットとしての組み立てられたもの）であるのが好ましく、強度及びシンプルのために一部品孔オズであるのが好ましい。リテイナー２２４は、好ましくは、使用中にかけられる重荷重に抵抗しないので鋼板から形成される。リテイナー２２４は、磨耗部材１０からロック１６が解放されるのを防止するように、穴６７の中のカラー２２２の望ましくない回転を防止するためだけに使用される。
【００４１】
ピン２２０は、ヘッド２４７及び軸２４９を含む（図２８−３０、３４及び３７−４０）。軸２４９は、ヘッド２４７からその長さの一部分に沿ったねじ２５４を有して形成される。ピンの端部２３０は、好ましくは、ノーズ４８の穴６６の中に受け入れるためにねじが形成されていない。ピン２２０は、ピンの端部２３０が先端であるように、磨耗部材の外側からカラー２２２の中に取り付けられ、そして、ピンのねじ２５４がカラーのねじ２５８と係合する。六角ソケット（または他の工具係合構造）２４８は、ピン２２０をカラー２２２の中に回転させるためのツールＴの受け入れのために、後端においてヘッド２４７に形成される。
【００４２】
好ましくは、六角ソケット２４８は、掃除口領域を画定するために、一つの面の適所にクリアランス開口２５０が提供される（すなわち、５つの面２８０だけが提供される）（図２７、２８、３４及び３７−４０）。掃除口領域２５０は、結果として大きく開口し、従って、土作業機械の地面係合部分のそのようなポケットや開口部を多くの場合詰める、影響を受ける粉鉱や砂を保持する可能性が低い。また、掃除口領域２５０は、詰まった粉鉱を粉砕してこじるためのツールを挿入するための別の場所を提供する。例えば、鋭いノミ、ピック、または電動工具装置が、詰まった粉鉱を粉砕し始めるために掃除口領域２５０の中に押し込まれ、突かれ、又は駆動される。たとえ処理中に損傷が掃除口領域２５０の内面に生じても、その損傷は、概ね、六角係合穴４８の５つのアクティブツール面に対して影響を与えない。ひとたび詰まった粉鉱の一部が掃除口領域２５０から取り出されると、六角係合穴２４８の内側にある詰まった粉鉱は、掃除口領域２５０を通じてアクセスされる際に、側方から又は斜めに襲われる。
【００４３】
耳たぶ形状の掃除口領域のもう一つの利点は、六角ソケットの一つの面の耳たぶ形状の掃除口領域と六角ソケットの組み合わせは、ピン２０に対する複数のツールインターフェースを形成することである。例えば、一つの面に伸長されるときに８分の７インチ（２．２２２５ｃｍ）の六角ドライブＴ（図３８）で使用するために寸法づけられた六角ソケットは、４分の３インチ（１．９０５ｃｍ）の四角ドライブＴ１（図３９）も同様に許容する。四角ドライブなどのための最適な嵌合は、掃除口領域２５０に対向する六角ソケット２４８の一つの面の溝２５１を形成することにより得られる。六角ツールが利用できないときに現場で必要である場合、プライバーなどの他のツールが、同様に嵌合することができる。
【００４４】
一好適実施形態では、ねじ付きピン２２０は、周囲のねじ山２５４を超えて突出するように偏向された、偏向ラッチ歯又は戻り爪２５２を含む（図２９、３０及び３４）。ラッチ戻り爪２５２が外側ポケット２５６と整合して外側ポケット２５６に挿入するときに、ねじ付きピン２２０がカラー２２２に対して特定の位置に係合するように、対応する外側ポケット又は凹部２５６は、戻り爪２５２を受け入れるためにカラー２２２のねじ山２５８に形成される。外側ポケット２５６へのラッチ戻り爪２５２の係合は、キャビティ２６の外側に（又は、ノーズ４８の十分なクリアランスで穴６６の少なくとも外側に）ピン２０を保持する、カラー２２に対して解放位置に、ねじ付きピン２２０を保持し、その結果、磨耗部材１０は、ノーズ４８に取り付けられる（及びノーズ４８から取り除かれる）ことができる。ピンは、好ましくは、磨耗部材１０が取り付けられる準備ができているように解放位置で出荷され、保管される。好ましくは、ラッチ戻り爪２５２は、ピンの端部２３０の近傍のねじ付きピン２２０のねじ山の始まり部に配置される。外側ソケット２５６は、カラー２２２のネジ部の始まり部から約二分の一回転した位置に配置される。その結果、ピン２２０は、カラー２２２内でのピン２２０の約二分の一回転した後に出荷位置に留められる。
【００４５】
ピン２２０に対するトルクの更なる適用は、外側ポケット２５６の外方にラッチ戻り爪２５２を押しつぶす。内部ポケット又は凹部２６０は、カラー２２２のねじ山部の内端に形成される。好ましくは、カラー２２２のねじ山部２５８は、内部ポケット２６０の僅かに前方で終端する。これは、ピン２２０がカラー２２２の中に螺合されるときにピン２２０を回転させる抵抗の増加を生じる。これは、ラッチ戻り爪２５２が内部ポケットと整合して内部ポケットの中にポップ（pop）するので、ピン２２０を回転させる急激な抵抗の減少によって続かれる。使用中では、ピン２２０がカラー２２２内の移動の終端に達すると、顕著なクリック又は“ずしんとした音”がある。抵抗の増加及び抵抗の減少の組み合わせ及び“ずしんとした音”は、ピン２２０が適当なサービスの位置に完全に留まることを使用者が決定するのに役立つ、使用者への触覚フィードバックを提供する。磨耗部材１０をベース１２に保持するためにピン２２が所望の位置にあることの確認としての触覚フィードバックを容易に確認するように訓練されるので、この触覚フィードバックは、本発明の組み合わされたカラー及びピンのアッセンブリを使用して、磨耗部品のより確かな取り付けを生じる。戻り爪２５２の使用は、従来のネジ付きロックアレンジとは異なり、ピン２２０が、各インストールで所望の位置に停止するのを可能にする。
【００４６】
好ましくは、ラッチ戻り爪２５２は、鋼板で形成され、エラストマー２６４の内部の所定の位置に弾力的に固定されたピン２２０内のサンプ内の所定の位置に保持される。サンプ２６２は、掃除口領域２５０の中に開口するように延在する。また、サンプ２６２に収容されたエラストマーは、ラッチ戻り爪２５２がピン２２０の回転中に圧縮されるときに、掃除口領域２５０の中に延在する。逆に、サンプ２６２に収容されたエラストマーは、掃除口領域２５０から詰まった粉鉱を粉砕して除去するのを助ける、掃除口領域２５０のための圧縮可能なフロアを形成する。エラストマー２６４は、エラストマー２６４が適所に硬化してラッチ戻り爪２５２に結合するようにラッチ戻り爪２５２の周りに成形される。ラッチ戻り爪２５２及びエラストマー２６４の結果として生じるサブアッセンブリは、掃除口領域２５０を介して適所に押圧され、サンプ２６２の中に押圧される。ラッチ戻り爪２５２の好適な構成は、本体２６６、突起部２６８及びガイドレール２７０を含む。突起部２６８は、ねじ山２５４に対して適当な位置にラッチ戻り爪２５２を保持するサンプ２６２の壁を支持する。ガイドレール２７０は、さらに、上述のように、サンプ２６２の中へのラッチ戻り爪２５２の圧縮を許容しながら、ラッチ戻り爪２５２を支持する。
【００４７】
ピン２２０が、カラー２２２の中に取り付けられると、磨耗部材１０の出荷、保管及び／取り付けのために解放位置まで二分の一回転される。一体化されたロック１６を含む磨耗部材は、ベース１２のノーズ４８に取り付けられる（図２９）。ピン２２０は、その後、ピン端部２３０がロック位置又はサービス位置で穴６６の中に完全に収容されるまで２回転と二分の一回転されるのが好ましい（図３０）。ねじ付きピン２２０のより多くの又はより少ない回転は、ねじ山のピッチ及び一つ以上の開始部がねじ山に提供されているか否かに依存して、必要とされる。磨耗部材１０のベース１２に対する完全なロックのためのねじ付きピン２２０の３つの完全な回転だけを必要とする特に粗いねじ山の使用は、現場状況で使いやすく、掘削の極端な条件下での使用に対して信頼できることがわかった。さらに、粗い螺旋ねじの使用は、ロックアッセンブリが使用中に詰まった粉鉱によって囲まれる取り付けで優れている。
【００４８】
ロック１６は、使用中、地面との接触及び磨耗に対する保護のために側部５６間の上凹部７０内に配置される（図２５及び３０）。磨耗アッセンブリ１４の深いロック１６の位置は、磨耗部材１０上を通過する土に起因する磨耗からロックを遮断するのに役立つ。好ましくは、ロック１６は、穴６７で凹んでおり、その結果、磨耗部材の寿命にわたって土を動かすことから遮断されたままである。好適な例では、ロック位置のピン２２０は、穴６７の中で底部から７０％又はそれよりも低い。土は、ロック１０の上方の穴６７に蓄積し、磨耗部材１０が磨耗してもロックを過度の磨耗から保護する傾向がある。さらに、ロックは、ロック位置の穴６６の中央に又は中央に近接して配置されたピン端部２３０で磨耗アッセンブリに概ね中央に配置される。ノーズ１８の中心近くにロックを配置することは、特に磨耗部材をベースにロックする傾向がある垂直荷重に関して、磨耗部材の使用中ロックにかけられる放出荷重を低減する傾向がある。
【００４９】
ピン２０は、カラー２２２からピン２２０を緩めるために、ラチェットツール又は他のツールを使用して解放される。ピン２２０はカラー２２２から取り除かれることができるが、解放位置まで戻されることだけ必要がある。次に、磨耗部材１０は、ノーズ４８から取り除かれることができる。ピン２２０を緩めるトルクは、カラー２２２に実質的にねじり負荷を発揮し、その負荷は、ストップ７７及び７９によって抵抗され、突出部２３６、２３７に対して強力で信頼性のあるストップを提供する。
【００５０】
ロック１６の取り付け要素は、磨耗部材１０をベース１２に（及びベース１２をアダプタ１９に）解放可能に保持するように使用されるねじ付き固定ピン２２０を受け入れるためのねじ穴２２３を画定する。別個の取り付け要素２２２は、容易に機械加工され、あるいはねじが形成されることができ、磨耗部材に直接にねじ山部を形成するのと比較して少ない費用及び高品質のために磨耗部材内に固定される。磨耗部材１０のために使用される鋼は非常に硬く、意図されるロック銅のために穴６７の中にねじ山を鋳造又は形成するのが難しい。また、磨耗部材１０の比較的大きな大きさは、穴６７にねじ山を鋳造又は形成するのがより難しい。取り付け要素２２２は、出荷、保管、取り付け及び使用中にロックの意図しない損失によりよく抵抗するように、使用中両方向（すなわち、穴６７の内方及び外方）における軸方向の動きに抵抗するために、磨耗部材の穴内に機械的に保持される。磨耗部材１０のために一般的に使用される硬鋼のために、取り付け要素２２２は、穴６７の中に簡単に溶接されることができない。
【００５１】
本発明にかかるロックの使用は、多くの利点、（ｉ）少ない在庫及び簡単な取り付けのためにロックが取り付け位置に準備されて出荷及び保管されるように磨耗部材に一体化されたロック、（ｉｉ）操作のための六角ツール又はラチェットドライバなどの共通の駆動工具だけを必要とし、ハンマーを必要としない、ロック、（ｉｉｉ）容易なツールアクセスを有するロック、（ｉｖ）正しいインストールの明確な視覚と触覚の確認を有するロック、（ｖ）各磨耗部品に提供された新規なロック、（ｖｉ）容易なアクセスのために配置されたロック、（ｖｉｉ）簡単な直感的な普遍的に理解される操作を有するロック、（Ｖｉｉ）幾何学的な複雑さの異なるコンポーネント間の永久的な機械的接続は、特定の製造プロセスから抽出された特徴及び利点を有する完成品を形成する、（ｖｉｉｉ）一体化が高い荷重を支持する単純なキャスト可能な特徴を中心にして構築されたロック一体化システムは、特別なツールまたは接着剤を必要とせず、永久的なアッセンブリを形成する、（ｉｘ）簡単なツールで土粉の容易な清掃を可能にする一つの面に延在した六角係合穴を有するロック、（ｘ）磨耗からロックを保護するとともにロックの放出のリスクを低減するために磨耗部材の中央部に配置されたロック、（ｘｉ）支持面に垂直なシステム荷重を支持するためにロックのカラーの反応突出部を有するロック、（ｘｉｉ）荷重インタフェースに対してカラーをバイアスするとともにシステムの緩みを取りながら、磨耗部材の中にカラーを保持する製造元に設置された保持クリップ、（ｘｉｉｉ）拡張された製品機能を支持しながら、鋳造の複雑さを簡素化する設計アプローチ、（ｘｉｖ）ロック領域で重要な嵌合表面が、ゲージとして作用し得る一部品に適合するために砕かれるだけを必要とする設計アプローチ、及び（ｘｖ）標準プラントのプロセス内に収まるデザイン、を提供する。
【００５２】
ロック１６は、掘削作業中二つの別個の要素を固定するための結合装置である。システムは、ベース１２の穴６６に収容されたピン２２０と、磨耗部材１０に機械的に保持されたカラー２２２とからなる。カラーは、一体化された、出荷、荷重伝達、ロック取り付け及びロック取り外しの支援的な機能を含む。カラーは、最適な荷重支持配向に突出部を維持するカラーの周囲に二つの突出部２３６、２３７に作用するリテイナー２２４で磨耗部材に固定される。また、リテイナーは、要素間の嵌合を引き締める。ピン２２０は、エラストマーが背後についたラッチ機構によって形成された二つの低エネルギー位置の間でカラー２２２の中心を通って螺旋状に前進する。第１の位置は、出荷中の保持のためにカラーとピンとの間に係合されたねじ山の二分の一の回転を維持する。ピン２２０は、システムがロックされる激しい停止の信号で終わる２回転と二分の一回転後に、第２の低エネルギー位置に前進する。磨耗部材１０が交換することを必要とするとき、ピン２２０は、反時計方向に回転され、アッセンブリから取り外され、磨耗部材がベースから自由に摺動するのを許容する。
【００５３】
図示の実施形態は、掘削歯であるが、ベース１２への磨耗部材１０のロックに関連する特徴は、土作業機械のための様々な磨耗アッセンブリで使用されることができる。例えば、ランナーは、穴６７のような穴に形成されることができ、大きなバケットの面、シュート面、トラック車体などの床などに画定されたベースに機械的に固定される。
【００５４】
本明細書に記載された開示は、独立したユーティリティを使用して、複数の別個の発明を包含する。これらの発明の各々がその好ましい形態で開示されているが、本明細書に開示され図示されたそのような特定の実施形態は、多数の変形が可能であるように、限定的な意味で考えるべきではない。それぞれの例では、前述の開示に開示された実施形態を規定するが、任意の一つの例は、必ずしも最終的に特許請求され得る全ての特徴またはそれらの組み合わせを包含しない。説明が、“一つの”又は“第１の”要素またはその同等物を列挙する場合、そのような説明は、二つ以上のそのような要素を除外しないでそのような一つ以上の要素を含む。さらに、このような識別される要素のための、第一、第二または第三などの序数の指標は、要素を区別するために使用され、このような要素の必要とされたまたは限定された数を示しておらず、特別に述べない限り、そのような要素の特定の位置や順序を示すものではない。
【図１】
2019143468.tif 000003
【図２】
2019143468.tif 000004
【図３】
2019143468.tif 000005
【図４】
2019143468.tif 000006
【図５】
2019143468.tif 000007
【図６】
2019143468.tif 000008
【図７】
2019143468.tif 000009
【図８】
2019143468.tif 000010
【図９】
2019143468.tif 000011
【図１０】
2019143468.tif 000012
【図１０Ａ】
2019143468.tif 000013
【図１１】
2019143468.tif 000014
【図１２】
2019143468.tif 000015
【図１３】
2019143468.tif 000016
【図１４】
2019143468.tif 000017
【図１５】
2019143468.tif 000018
【図１６】
2019143468.tif 000019
【図１７】
2019143468.tif 000020
【図１８】
2019143468.tif 000021
【図１９】
2019143468.tif 000022
【図２０】
2019143468.tif 000023
【図２１】
2019143468.tif 000024
【図２２】
2019143468.tif 000025
【図２３】
2019143468.tif 000026
【図２４】
2019143468.tif 000027
【図２５】
2019143468.tif 000028
【図２６】
2019143468.tif 000029
【図２７】
2019143468.tif 000030
【図２８】
2019143468.tif 000031
【図２９】
2019143468.tif 000032
【図３０】
2019143468.tif 000033
【図３１】
2019143468.tif 000034
【図３２】
2019143468.tif 000035
【図３３】
2019143468.tif 000036
【図３４】
2019143468.tif 000037
【図３５】
2019143468.tif 000038
【図３６】
2019143468.tif 000039
【図３７】
2019143468.tif 000040
【図３８】
2019143468.tif 000041
【図３９】
2019143468.tif 000042
【図４０】
2019143468.tif 000043
【図４１】
2019143468.tif 000044
【図４２】
2019143468.tif 000045
【図４３】
2019143468.tif 000046
【図４４】
2019143468.tif 000047
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
使用中に磨耗から土作業機械を保護するために磨耗部材を土作業機械に解除可能に固定するためのロックであって、
前記磨耗部材内の穴に適合するようにされた本体と、当該本体を通って延在するねじ付き開口部と、保持構造の対向する肩部に係合するために当該本体の外方向に突出する垂直方向に離間した一対の突出部と、を有するカラーであって、当該本体及び当該突出部が一部品として形成される、カラーと、
前記磨耗部材が取り付けられ且つ前記土作業機械から取り除かれることが可能な解放位置と、前記ロックが前記磨耗部材を前記土作業機械上に保持するロック位置との間の移動のためのねじ付き穴の中に受け入れられるねじ付きピンと、
を備える、ロック。
【請求項２】
前記カラーと前記ピンの一方の上の偏向した戻り爪と、当該戻り爪をその中に受け入れる当該カラーと当該ピンの他方の上の一対の凹部と、を含み、
前記戻り爪は、前記ピンが前記解放位置にあるとき一方の凹部に受け入れられると共に、当該ピンが前記ロック位置にあるとき他方の凹部に受け入れられる、請求項１に記載のロック。
【請求項３】
２つの分離したコンポーネントを共に固定するためのロックであって、
ねじ付き穴と、外方向に突出した複数の突出部と、を含み、前記コンポーネントの一方の穴に係合し固定されるカラーと、
前記突出部に隣接する前記一方のコンポーネントの前記穴の中に受け入れられ、当該一方のコンポーネントからの前記カラーの取りはずれを防止するリテイナーと、
前記ねじ付き穴の中に受け入れられるねじ付ピンであって、回転するとき、前記ピンが他方のコンポーネントに接触して前記２つのコンポーネントを共に保持する延長位置と、当該ピンが当該他方のコンポーネントを解放して当該２つのコンポーネントの分離を許容する後退位置との間を、内向き又は外向きに当該ピンを移動させる、ねじ付ピンと、
を備える、ロック。
【請求項４】
前記延長位置と前記後退位置で前記ピンを固定するためのラッチ戻り爪を含む、請求項３に記載のロック。
【請求項５】
前記ラッチ戻り爪は、
前記ピンの上で外向きに突出した偏向した歯と、
ねじ付き開口部の中の２つの離間した凹部であって、前記歯を前記延長位置及び前記後退位置の各々で受け入れる凹部と、を含む、請求項４に記載のロック。
【請求項６】
前記リテイナーは、延在したタブを備えたクリップであって、前記穴からの取りはずれを防止する、請求項３に記載のロック。
【請求項７】
前記リテイナーは、シート状の鋼で形成される。請求項３に記載のロック。
【請求項８】
２つの分離したコンポーネントを共に固定するためのロックであって、
ねじ付き穴を含む、前記コンポーネントの一方の穴に係合し固定されるカラーと、
前記ねじ付き穴の中に受け入れられるねじ付ピンであって、回転するとき、前記ピンが他方のコンポーネントに接触して前記２つのコンポーネントを共に保持する延長位置と、当該ピンが当該他方のコンポーネントを解放して当該２つのコンポーネントの分離を許容する後退位置との間を、内向き又は外向きに当該ピンを移動させる、ねじ付ピンと、
前記延長位置と前記後退位置で前記ピンを固定するためのラッチ戻り爪と、
を備える、ロック。
【請求項９】
前記ラッチ戻り爪は、
前記ピンの上で外向きに突出した偏向した歯と、
ねじ付き開口部の中の２つの離間した凹部であって、前記歯を前記延長位置及び前記後退位置の各々で受け入れる凹部と、を含む、請求項８に記載のロック。
【請求項１０】
外方向に突出した複数の突出部を含み、前記穴の中で保持構造と係合して当該穴の中で前記カラーを固定する、請求項８に記載のロック。
【手続補正２】
【補正対象書類名】明細書
【補正対象項目名】００５４
【補正方法】変更
【補正の内容】
【００５４】
本明細書に記載された開示は、独立したユーティリティを使用して、複数の別個の発明を包含する。これらの発明の各々がその好ましい形態で開示されているが、本明細書に開示され図示されたそのような特定の実施形態は、多数の変形が可能であるように、限定的な意味で考えるべきではない。それぞれの例では、前述の開示に開示された実施形態を規定するが、任意の一つの例は、必ずしも最終的に特許請求され得る全ての特徴またはそれらの組み合わせを包含しない。説明が、“一つの”又は“第１の”要素またはその同等物を列挙する場合、そのような説明は、二つ以上のそのような要素を除外しないでそのような一つ以上の要素を含む。さらに、このような識別される要素のための、第一、第二または第三などの序数の指標は、要素を区別するために使用され、このような要素の必要とされたまたは限定された数を示しておらず、特別に述べない限り、そのような要素の特定の位置や順序を示すものではない。
〔態様１〕
使用中に磨耗から土作業機械を保護するために土作業機械への取り付けのための磨耗部材であって、
磨耗部材は、
土作業機械の動作中に地面と接触する前端と、
土作業機械にベースを受け入れるために長手方向軸線を有する後方に開口するキャビティと、を備え、
キャビティは、長手方向軸線に沿った中央部分と、中央部分の各面に対する側部分とを含み、各側部分は、外面と内面とを含み、各内面は、中央部分と接触し、各外面は、上外側支持面と下外側支持面とによって画定された内方に突出する側方の突出部を有し、
上外側支持面及び下外側支持面は、内方方向に互いに向かって側方向に傾斜され、長手方向軸線に対して実質的に平行に軸方向に延在し、
各内面は、中央部分の上及び下に内側支持面を有し、
各内側支持面は、外面から離れる方向に内方に側方に傾斜し、長手方向軸線に対して実質的に平行に軸方向に延在し、
上外側支持面及び下外側支持面及び内側支持面は、それぞれ、使用中に磨耗部材にかけられる垂直荷重及び側方荷重に抵抗するためにベースの相補的支持面に対して支持し、
中央部分は、上面及び下面を含み、上面は、上内側支持面の間に延在して上内側支持面と接続し、下面は、下内側支持面の間に延在して上内側支持面と接続し、
上面及び下面は、それらの間に間隙を画定するために離間配置されており、
間隙は、キャビティの全長の三分の二以下である、上面と下面との間の高さを有し、上面及び下面の少なくとも一つは、磨耗部材を土作業機械に固定するためのロックを受け入れるための穴を含む、磨耗部材。
〔態様２〕
態様１記載の磨耗部材において、
キャビティは、後方に向いた前壁を含む前端部分と、上安定化面と、下安定化面とを含み、
上安定化面及び下安定化面は、互いの方に向いており、前壁から長手方向軸線に実質的に平行に後方に軸方向に延在し、
上安定化面及び下安定化面は、使用中、ベース上の相補的面に対して支持する、磨耗部材。
〔態様３〕
態様１記載の磨耗部材において、
使用中、地面と接触するための外側磨耗面と、
磨耗部材が交換を必要とするときに磨耗面に現れる磨耗表示としての、キャビティに開口すると共に磨耗面に向かって磨耗部材を部分的に外方に延在するくぼみと、を含む、磨耗部材。
〔態様４〕
使用中に磨耗から土作業機械を保護するために土作業機械への取り付けのための磨耗部材であって、
磨耗部材は、
土作業機械の動作中に地面と接触する磨耗面と、
土作業機械への磨耗部材の取り付けを行うための取り付け構造と、
磨耗部材を延在する壁によって画定されると共に、磨耗部材を土作業機械に保持するためのロックを受け入れるために、磨耗面及び取り付け構造の双方に開口する、穴と、を備え、
壁は、磨耗面と取り付け構造の間の保持構造を含む穴を画定し、
保持構造は、ロックに対する内方の力及び外方の力に抗して穴のロックを積極的に保持するためにロックの対応する支持面と接触するための上肩部及び下肩部を有する、磨耗部材。
〔態様５〕
態様４記載の磨耗部材において、
穴を画定する壁は、保持構造に隣接する通路を画定し、
通路は、統合された構成のロック要素が、穴に取り付けられると共に上肩部及び下肩部と接触するのを許容するために、取り付け構造から磨耗面の方に穴の長さに沿って延在する、磨耗部材。
〔態様６〕
態様４記載の磨耗部材において、
取り付け構造は、土作業機械にベースを収容しかつ捕捉するために形状づけられたキャビティである、磨耗部材。
〔態様７〕
態様４記載の磨耗部材において、
保持構造は、上肩部及び下肩部と接触するために穴の中にロック要素を受け入れるための壁のレリーフによって３つの側面に囲まれた穴を画定する壁の続きである、磨耗部材。
〔態様８〕
使用中に磨耗から土作業機械を保護するために土作業機械への取り付けのための磨耗部材であって、
磨耗部材は、
土作業機械の動作中に地面と接触する磨耗面と、
土作業機械への磨耗部材の取り付けを行うための取り付け構造と、
磨耗部材を延在する壁によって画定されると共に、磨耗部材を土作業機械に保持するためのロックを受け入れるために、磨耗面及び取り付け構造の双方に開口する、穴と、を備え、
壁は、磨耗面と取り付け構造の間の保持構造を含む穴を画定し、
保持構造は、ロックに対する内方の力及び外方の力に抗して穴のロックを積極的に保持するためにロックの対応する支持面と接触するための上支持面及び下支持面を有し、
壁は、保持構造に隣接する通路を画定し、
通路は、統合された構成のロック要素が、穴に取り付けられると共に上肩部及び下肩部と接触するのを許容するために、取り付け構造から磨耗面の方に穴の長さに沿って延在する、磨耗部材。
〔態様９〕
態様８記載の磨耗部材において、
取り付け構造は、土作業機械にベースを収容しかつ捕捉するために形状づけられたキャビティである、磨耗部材。
〔態様１０〕
態様８記載の磨耗部材において、
保持構造は、
保持構造の上及び下の壁のリリーフと、保持構造の端部のスロットとによって囲まれた穴を画定する壁の続きであり、
リリーフ及びスロットは、上支持面及び下支持面と接触するために穴の中にロック要素を受け入れるために相互接続される、磨耗部材。
〔態様１１〕
使用中に磨耗から土作業機械を保護するために土作業機械への取り付けのための磨耗部材であって、
磨耗部材は、
前端と、
土作業機械の動作中に地面と接触する外部磨耗面と、
土作業機械にベースを受け入れるための後方に開口するキャビティと、を備え、
キャビティは、
磨耗部材が交換を必要とするときに磨耗面に現れる磨耗表示としての、キャビティに開口すると共に、キャビティから外方にかつ磨耗部材を部分的に延在するくぼみを含む、磨耗部材。
〔態様１２〕
使用中に磨耗から土作業機械を保護するために土作業機械への取り付けのための磨耗部材であって、
磨耗部材は、
前端と、
土作業動作中の土作業機械の使用中に地面と接触する外部磨耗面と、
土作業機械にベースを受け入れるために後方に開口するキャビティと、
磨耗面からキャビティまで延在する穴と、
穴の中に取り付けられたロックと、を備え、
ロックは、
穴の内方及び外方の双方への取り付け要素の動きに抵抗するために、穴に機械的に固定された取り付け要素と、
磨耗部材がベースに取り付けられると共にベースから取り除かれる解放位置と、磨耗部材がベースに固定されるロック位置との間で取り付け要素に移動可能な保持要素と、を含む、磨耗部材。
〔態様１３〕
態様１２記載の磨耗部材において、
取り付け要素及び保持要素は、解放位置とロック位置との間で保持要素の移動を行うための相補的ねじ山を有する、磨耗部材。
〔態様１４〕
態様１２記載の磨耗部材において、
磨耗部材の穴は、対向して面する上支持面及び下支持面を有する保持構造を含み、
取り付け要素は、保持構造の上支持面及び下支持面と接触するための相補的支持面を含む、磨耗部材。
〔態様１５〕
態様１４記載の磨耗部材において、
取り付け要素は、一部品部材である、磨耗部材。
〔態様１６〕
使用中に磨耗から土作業機械を保護するために土作業機械への取り付けのための磨耗部材であって、
磨耗部材は、
土作業機械の動作中に地面と接触する磨耗面と、
土作業機械にベースを受け入れるための取り付け構造と、
磨耗部材を延在する壁によって画定されると共に、磨耗部材を土作業機械に保持するためのロックを受け入れるために磨耗面と取り付け構造の双方に開口する、穴であって、壁は、磨耗面とキャビティとの間の上肩部及び下肩部を有する保持構造を含む、穴と、
保持構造をまたぐと共に、穴の内方及び外方の双方のカラーの動きに抵抗するために上肩部及び下肩部と接触する突出部と、ねじ付き開口部と、を含むカラーと、
磨耗部材がベースに取り付けられると共にベースから取り除かれる解放位置と、磨耗部材がベースに固定されるロック位置との間の移動のためのねじ付き開口部に受け入れられたねじ付きピンと、を備える、磨耗部材。
〔態様１７〕
使用中に磨耗から土作業機械を保護するために土作業機械への取り付けのための磨耗アッセンブリであって、
磨耗アッセンブリは、
土作業機械に固定されたベースであって、穴を含むベースと、
磨耗部材と、を備え、
磨耗部材は、
土作業機械の動作中に地面と接触する前端と、
土作業機械にベースを受け入れるために長手方向軸線を有する後方に開口するキャビティと、を備え、
キャビティは、長手方向軸線に沿った中央部分と、中央部分の各面に対する側部分とを含み、各側部分は、外面と内面とを含み、各内面は、中央部分と接触し、各外面は、上外側支持面と下外側支持面とによって画定された内方に突出する側方の突出部を有し、
上外側支持面及び下外側支持面は、内方方向に互いに向かって側方向に傾斜され、長手方向軸線に対して実質的に平行に軸方向に延在し、
各内面は、中央部分の上及び下に内側支持面を有し、
各内側支持面は、外面から離れる方向に内方に側方に傾斜し、長手方向軸線に対して実質的に平行に軸方向に延在し、
上外側支持面及び下外側支持面及び内側支持面は、それぞれ、使用中に磨耗部材にかけられる垂直荷重及び側方荷重に抵抗するためにベースの相補的支持面に対して支持し、
中央部分は、上面及び下面を含み、上面は、上内側支持面の間に延在して上内側支持面と接続し、下面は、下内側支持面の間に延在して上内側支持面と接続し、
上面及び下面は、それらの間に間隙を画定するために離間配置されており、
間隙は、キャビティの全長の三分の二以下である、上面と下面との間の高さを有し、上面及び下面の少なくとも一つは、ベースの穴と整合する穴を含み、
磨耗アッセンブリは、更に、
磨耗部材を土作業機械に解放可能に固定するために磨耗部材の穴及びベースの穴に受け入れられるロックを、備える、磨耗アッセンブリ。
〔態様１８〕
態様１７記載の磨耗アッセンブリにおいて、
ロックは、前端及び後端を含み、
ベースは、磨耗部材のキャビティの中に受け入れられるノーズを含み、
ノーズは、上面及び底面を有し、
ロックが磨耗部材の穴及びベースの穴に挿入されるときに、前端は、上面及び底面の間のベースのほぼ中央点でベースの穴にあり、後端は、磨耗面から離れている、磨耗アッセンブリ。
〔態様１９〕
使用中に磨耗から土作業機械を保護するために土作業機械への取り付けのための磨耗アッセンブリであって、
磨耗アッセンブリは、
土作業機械に固定されたベースと、
土作業機械の動作中に地面と接触する磨耗面と、
磨耗部材の土作業機械への取り付けを行うための取り付け構造と、
磨耗部材を延在する壁によって画定されると共に、磨耗面及び取り付け構造の双方に開口する穴と、
穴あの中に受け入れられると共に、磨耗部材を土作業機械に保持するためのベースと接触するために移動可能であるロックと、を備え、
磨耗部材の穴を画定する壁は、磨耗面と取り付け構造との間に保持構造を含み、
保持構造は、ロックに対する内方の力及び外方の力に抗して穴のロックを積極的に保持するためにロックの対応する支持面と接触するための上肩部及び下肩部を有する、磨耗アッセンブリ。
〔態様２０〕
使用中に磨耗から土作業機械を保護するために磨耗部材を土作業機械に解放可能に固定するためのロックであって、
ロックは、
磨耗部材の穴に適合するようになった本体と、本体を延在するねじ付き開口部と、保持構造の対向する肩部と係合するために本体の外方に突出する垂直方向に離間した一対の突出部と、を有するカラーであって、本体及び突出部は一部品として形成される、カラーと、
磨耗部材がベースに取り付けられると共にベースから取り除かれる解放位置と、ロックが磨耗部材を土作業機械に保持するロック位置との間の移動のためのねじ付き穴の中に受け入れられるねじ付きピンと、
突出部の上肩部及び下肩部からの取りはずれを防止するために突出部に隣接する本体の外側にある磨耗部材の穴に挿入されるリテイナーと、を備える、ロック。
〔態様２１〕
態様２０記載のロックにおいて、
カラー及びピンの一方の偏向された戻り爪と、
その中に戻り爪を受け入れるカラー及びピンの他方の一対の凹部と、を含み、
戻り爪は、ピンが解放位置にあるときの一方の凹部に収容されると共に、ピンがロック位置にあるときの他の凹部に収容される、ロック。
〔態様２２〕
使用中に磨耗から土作業機械を保護するために磨耗部材を土作業機械に解放可能に固定するためのロックであって、
ロックは、
ねじ付き軸及びヘッドを有するピンを備え、
ヘッドは、ソケットを含み、
ソケットは、ツールを受け入れるための角度が付いた面と、土粉のソケットのよりよいクリーニングを可能にするために少なくとも一つの面の代わりの拡大されたクリアランススペースと、を有する、ロック。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
２つの分離したコンポーネントを共に固定するためのロックであって、
ねじ付き穴と、外方向に突出した複数の突出部と、を含み、前記コンポーネントの一方の穴に係合し固定されるカラーと、
前記突出部に隣接する前記一方のコンポーネントの前記穴の中に受け入れられ、当該一方のコンポーネントからの前記カラーの取りはずれを防止するリテイナーと、
前記ねじ付き穴の中に受け入れられるねじ付ピンであって、回転するとき、前記ピンが他方のコンポーネントに接触して前記２つのコンポーネントを共に保持する延長位置と、当該ピンが当該他方のコンポーネントを解放して当該２つのコンポーネントの分離を許容する後退位置との間を、内向き又は外向きに当該ピンを移動させる、ねじ付ピンと、
を備える、ロック。
【請求項２】
前記延長位置と前記後退位置で前記ピンを固定するためのラッチ戻り爪を含む、請求項１に記載のロック。
【請求項３】
前記ラッチ戻り爪は、
前記ピンの上で外向きに突出した偏向した歯と、
ねじ付き開口部の中の２つの離間した凹部であって、前記歯を前記延長位置及び前記後退位置の各々で受け入れる凹部と、を含む、請求項２に記載のロック。
【請求項４】
前記リテイナーは、延在したタブを備えたクリップであって、前記穴からの取りはずれを防止する、請求項１に記載のロック。
【請求項５】
前記リテイナーは、シート状の鋼で形成される。請求項１に記載のロック。
【請求項６】
２つの分離したコンポーネントを共に固定するためのロックであって、
ねじ付き穴を含む、前記コンポーネントの一方の穴に係合し固定されるカラーと、
前記ねじ付き穴の中に受け入れられるねじ付ピンであって、回転するとき、前記ピンが他方のコンポーネントに接触して前記２つのコンポーネントを共に保持する延長位置と、当該ピンが当該他方のコンポーネントを解放して当該２つのコンポーネントの分離を許容する後退位置との間を、内向き又は外向きに当該ピンを移動させる、ねじ付ピンと、
前記延長位置と前記後退位置で前記ピンを固定するためのラッチ戻り爪と、
を備える、ロック。
【請求項７】
前記ラッチ戻り爪は、
前記ピンの上で外向きに突出した偏向した歯と、
ねじ付き開口部の中の２つの離間した凹部であって、前記歯を前記延長位置及び前記後退位置の各々で受け入れる凹部と、を含む、請求項６に記載のロック。
【請求項８】
外方向に突出した複数の突出部を含み、前記穴の中で保持構造と係合して当該穴の中で前記カラーを固定する、請求項６に記載のロック。
【請求項９】
使用中に磨耗から土作業機械を保護するために当該土作業機械への取り付けのための磨耗部材であって、磨耗部材は、
前記土作業機械の動作中に地面と接触する磨耗面と、
前記土作業機械にベースを受け入れるための取り付けキャビティと、
前記磨耗部材を延在する壁によって画定されると共に、当該磨耗部材を前記土作業機械に保持するためのロックを受け入れるために前記磨耗面と前記取り付けキャビティの双方に開口する、穴と、
前記穴に係合し固定されると共に、ねじ穴を含む、カラーと、
前記ねじ穴内に受け入れられるねじ付きピンであって、当該ピンが回転するとき、当該ピンが前記ベースに接触して前記摩耗部材を当該ベースに保持する延長位置と、当該ピンが当該摩耗部材を当該ベースから解放する格納位置との間で当該ねじ穴が当該ピンを内向き又は外向きに移動させる、ねじ付きピンと、
前記ピンを前記延長位置及び前記格納位置に固定するラッチ戻り爪と、を備える、磨耗部材。
【請求項１０】
請求項９記載の磨耗部材において、
前記ラッチ戻り爪は、前記ピン上で外向きに突き出た偏向歯と、当該歯を前記延長位置と前記格納位置のそれぞれで受け入れるために前記ねじ穴内の２つの離間した凹部と、を含む、磨耗部材。
【請求項１１】
請求項９記載のロックにおいて、
前記カラーは、一部品部材である、磨耗部材。
【手続補正２】
【補正対象書類名】明細書
【補正対象項目名】００５０
【補正方法】変更
【補正の内容】
【００５０】
ロック１６の取り付け要素２２２は、磨耗部材１０をベース１２に（及びベース１２をアダプタ１９に）解放可能に保持するように使用されるねじ付き固定ピン２２０を受け入れるためのねじ穴２２３を画定する。別個の取り付け要素２２２は、容易に機械加工され、あるいはねじが形成されることができ、磨耗部材に直接にねじ山部を形成するのと比較して少ない費用及び高品質のために磨耗部材内に固定される。磨耗部材１０のために使用される鋼は非常に硬く、意図されるロック銅のために穴６７の中にねじ山を鋳造又は形成するのが難しい。また、磨耗部材１０の比較的大きな大きさは、穴６７にねじ山を鋳造又は形成するのがより難しい。取り付け要素２２２は、出荷、保管、取り付け及び使用中にロックの意図しない損失によりよく抵抗するように、使用中両方向（すなわち、穴６７の内方及び外方）における軸方向の動きに抵抗するために、磨耗部材の穴内に機械的に保持される。磨耗部材１０のために一般的に使用される硬鋼のために、取り付け要素２２２は、穴６７の中に簡単に溶接されることができない。
【外国語明細書】
2019143468000001.pdf